(57)【要約】【課題】全ての電線が確実に保持されるようにする。【解決手段】電線保持部２１には、その一端から他端にかけて緊張状態で掛け渡されるタイバンド３１が取り付けられる。各電線５０の公差Ｄのうち、最大外径のものを最大径電線５６、最小外径のものを最小径電線５７とした場合に、電線保持部２１の一端から他端に向かって数えて３番目以降の各電線支持面２２（Ｎ番目の電線支持面２２）は、ここに最大径電線５６が支持され、Ｎ−１番目の電線支持面２２に最小径電線５７が支持され、Ｎ−２番目の電線支持面２２に最大径電線５６が支持されると仮定して、これら各電線５６，５７の上弦側で共通接線Ｔ１，Ｔ２，Ｔ３を引ける位置に、電線保持部２１の他端側へ向かって段々低く配されるよう、順次設定される。【選択図】図１
2008053146.tif 000002
【特許請求の範囲】
【請求項１】
コネクタハウジングの背面から少なくとも３本の電線が引き出され、引き出された各電線が並列に配置されており、
前記コネクタハウジングの背面には、前記各電線をその並列状態を保って個別に支持可能な電線支持面を有する電線保持部が設けられ、前記電線保持部には、当該電線保持部の一端から他端にかけて前記各電線の並列方向に緊張状態で掛け渡されることで、前記各電線を押さえてその浮き上がりを規制する帯片が取り付けられるコネクタであって、
前記各電線の外径の公差のうち、最大値に相当する外径寸法をもった電線を最大径電線とし、最小値に相当する外径寸法をもった電線を最小径電線とした場合に、
前記電線保持部の一端から他端に向かって数えて３番目以降の各電線支持面は、当該電線支持面に前記最大径電線が支持され、当該電線支持面と前記電線保持部の一端側で隣接する電線支持面に前記最小径電線が支持され、さらに、この最小径電線が支持された電線支持面と前記電線保持部の一端側で隣接する電線支持面に前記最大径電線が支持されると仮定して、これら横並びで配された、最大径電線、最小径電線、最大径電線の各電線の上弦側で共通接線を引ける位置に、またはそれより下位に、前記電線保持部の他端側へ向かって段々低く配されるように、前記電線保持部の一端側から順次設定されることを特徴とするコネクタ。
【請求項２】
前記各電線は、前記帯片によって締め付けられることにより、この帯片と前記電線支持面との間に屈曲状態で保持されることを特徴とする請求項１に記載のコネクタ。
【発明の詳細な説明】
【技術分野】
【０００１】
本発明は、コネクタに関する。
【背景技術】
【０００２】
特許文献１には、コネクタハウジングの背面に電線保持部が一体的に取り付けられた構成が開示されている。このものは、コネクタハウジングの背面から引き出された各電線を電線保持部の電線支持面に載置させ、その状態で、電線保持部の一端側から延出されるタイバンドを同電線保持部の他端側へ向かって掛け渡し、これによって各電線を電線支持面とタイバンドとの間に挟み付けて保持するというものである。こうして各電線が電線保持部およびタイバンドによって保持されることにより、各電線に加わる引っ張り力等の外力がここで吸収され、もってコネクタハウジング内に収容された端子金具に過大な応力が生じないようになっている。
【特許文献１】特開平１１−３２９５７５号公報
【発明の開示】
【発明が解決しようとする課題】
【０００３】
ところで、仮に、各電線が３本以上の電線からなり、これらが略水平な電線支持面によって支持され、しかも、３つ横並びで配された電線支持面のうち、中央に位置する電線支持面には公差内で小径の電線が配され、両側に位置する電線支持面には公差内で大径の電線が配されるとすると、各電線をタイバンドで緊張して締め付けたときに、両側に位置する大径の電線間にタイバンドが架橋されて、中央に位置する小径の電線にタイバンドが当たらないという事情がある。その結果、この小径の電線にタイバンドの締め付け力が作用しないという問題がある。
【０００４】
本発明は上記のような事情に基づいて完成されたものであって、全ての電線が確実に保持されるようにすることを目的とする。
【課題を解決するための手段】
【０００５】
上記の目的を達成するための手段として、請求項１の発明は、コネクタハウジングの背面から少なくとも３本の電線が引き出され、引き出された各電線が並列に配置されており、前記コネクタハウジングの背面には、前記各電線をその並列状態を保って個別に支持可能な電線支持面を有する電線保持部が設けられ、前記電線保持部には、当該電線保持部の一端から他端にかけて前記各電線の並列方向に緊張状態で掛け渡されることで、前記各電線を押さえてその浮き上がりを規制する帯片が取り付けられるコネクタであって、前記各電線の外径の公差のうち、最大値に相当する外径寸法をもった電線を最大径電線とし、最小値に相当する外径寸法をもった電線を最小径電線とした場合に、前記電線保持部の一端から他端に向かって数えて３番目以降の各電線支持面は、当該電線支持面に前記最大径電線が支持され、当該電線支持面と前記電線保持部の一端側で隣接する電線支持面に前記最小径電線が支持され、さらに、この最小径電線が支持された電線支持面と前記電線保持部の一端側で隣接する電線支持面に前記最大径電線が支持されると仮定して、これら横並びで配された、最大径電線、最小径電線、最大径電線の各電線の上弦側で共通接線を引ける位置に、またはそれより下位に、前記電線保持部の他端側へ向かって段々低く配されるように、前記電線保持部の一端側から順次設定される構成としたところに特徴を有する。
【０００６】
請求項２の発明は、請求項１に記載のものにおいて、前記各電線は、前記帯片によって締め付けられることにより、この帯片と前記電線支持面との間に屈曲状態で保持されるところに特徴を有する。
【発明の効果】
【０００７】
＜請求項１の発明＞
コネクタハウジングの背面から引き出された各電線を電線保持部の電線支持面に支持させ、その状態で、電線保持部の一端から他端にかけて帯片を緊張状態で掛け渡す。すると、全ての電線は電線支持面に支持されつつ帯片とあまねく当接することになる。すなわち、公差内で最小径電線が支持された電線支持面の両側に、公差内で最大径電線が支持された電線支持面が配置されている場合に、最小径電線が帯片に当たらないことになり、このケースにおいて電線間の落差が最も大きくなるわけであるが、本発明によれば、横並びの３つの電線支持面が上記のケースにあてはまっても、これら３つの電線支持面のうち、電線保持部の他端側に位置する電線支持面が、一端側で隣接する電線支持面（最小径電線を支持する電線支持面）より低い位置にあって、これら３つの電線支持面に載せられた全ての電線に対してその上弦側で共通接線が引ける位置に（図４を参照）、またはそれより下位に、配されるようにしてあるから、かかる最大径電線の間に挟まれた最小径電線に対して帯片による締め付け力を確実に付与することが可能となる。したがって、各電線が公差内で如何なる外径寸法をもっていようと、全ての電線が電線支持面と帯片との間で確実に保持される。
【０００８】
＜請求項２の発明＞
各電線が帯片と電線支持面との間に屈曲状態で保持されるから、電線がコネクタハウジングの背面から離れる方向へ引っ張られても、その引っ張り力は、屈曲部位にて受け止められ、コネクタハウジング内に収容された端子金具等に直接作用するのを回避でき、結果、端子金具等がコネクタハウジングから偶発的に抜け出るのを阻止できる。また、かかる構成は、電線支持面が電線保持部の他端側へ向かって段々低くなるよう配置されることで自動的に構築され、専用構造を格別設ける必要はない。
【発明を実施するための最良の形態】
【０００９】
＜実施形態１＞
本発明の実施形態１を図１ないし図４によって説明する。本実施形態のコネクタは、端子金具６１を収容可能なキャビティ１１を有するコネクタハウジング１０と、コネクタハウジング１０の背面（後面）側に突成された電線保持部２１と、電線保持部２１に取り付けられるタイバンド３１（本発明における帯片）とを備えて構成される。
【００１０】
コネクタハウジング１０は合成樹脂製であって、図示しない相手側のコネクタハウジングに嵌合可能とされ、その内部に、複数のキャビティ１１が形成されている。キャビティ１１は上下２段に分かれて配置され、各段のキャビティ１１が幅方向に並列に配置されている。各キャビティ１１には、図２に示すように、後方から電線５０の端末にかしめ付けにより接続された端子金具６１が挿入され、このキャビティ１１内に正規挿入された端子金具６１は同キャビティ１１の内壁に形成された撓み可能なランス１２によって抜け止め状態で弾性係止されるようになっている。電線５０は中心に位置する芯線５１とその周りを覆う被覆５２とからなるものであって、端子金具６１に設けられたインシュレーションバレル６２が電線５０の被覆５２に巻き付けられ、さらに、端子金具６１に設けられたワイヤーバレル６３が電線５０の端末にて被覆５２の除去により露出された芯線５１に巻き付けられる。
【００１１】
電線保持部２１は同じく合成樹脂製であって概ね横長のブロック状をなし、コネクタハウジング１０の背面に沿って同コネクタハウジング１０と一体的に形成されている。詳しくは電線保持部２１は、図１に示すように、下側のキャビティ１１よりも少し下方において同キャビティ１１の並列方向（幅方向）に沿うようにして、中間部に配された５室のキャビティ１１に対応して配置されている。
【００１２】
電線保持部２１の上面には、上記キャビティ１１と対応する位置毎に、図３に示すように、コネクタハウジング１０の背面から引き出された各電線５０をその並列方向に一定ピッチ（等間隔）を保ちつつ個別に支持可能とされる電線支持面２２が設けられている。各電線支持面２２は、互いに同形同大であって、各電線５０の略下半部に沿うような断面半円弧状をなし、かつ、各電線５０の引き出し方向（前後方向）に沿って延びる溝状をなしている。そして、隣接する電線支持面２２間は仕切り壁２３によって区画され、この仕切り壁２３の突出端（上端）も断面半円弧状をなし丸くなっている。
【００１３】
各電線支持面２２に支持された電線５０は、公差Ｄを許容しつつ互いに同一の外径寸法（電線径）になることが予定されている。コネクタハウジング１０の背面における、上記した５室のキャビティ１１の開口縁下面には、図２に示すように、電線保持部２１の電線支持面２２に向けて下り勾配となって同電線支持面２２に連なるテーパ面１９が形成されている。  
電線保持部２１の左右両側面には、タイバンド３１を通すための凹溝２５が形成されており、さらに、この凹溝２５を挟んでコネクタハウジング１０の背面と対向する位置に、タイバンド３１の抜け止めをなす規制壁２６が形成されている。
【００１４】
また、電線保持部２１には同電線保持部２１の周方向に沿って別体のタイバンド３１が緊張状態（ピンと張った状態）で巻き付けられる。タイバンド３１は同じく合成樹脂製であって、可撓帯状をなし、一端に係止孔３２を有する円錐台状の係止部３３を備えるとともに、この係止部３３から所定の長さで延出されたバンド片３４を備える。そして、バンド片３４の表面（曲げの内側面）には、多数の係止歯３５が形成されている。かかるタイバンド３１は、電線保持部２１の片側面下方に係止部３３を配して規制壁２６と当接させた状態から、バンド片３４を凹溝２５に入れつつ電線保持部２１の周り（後方から見て時計周り）に回曲させ、バンド片３４を一回りさせたところで、バンド片３４の先端を係止部３３の係止孔３２に上方から挿入して、係止孔３２の孔壁に係止歯３５を噛み合わせ状態で係止させることにより、電線保持部２１に取り付けられる。  
ここで、各電線５０のうち、上記した５室のキャビティ１１に対応する部分から導出された各電線５０は、図２に示すように、タイバンド３１による締め付けによって同キャビティ１１のテーパ面１９に沿って案内されつつ一段落ちるよう斜めに屈曲させられ、その状態で対応する電線支持面２２に押し付けられて浮き上がりを規制された状態で固定される。このように電線５０がタイバンド３１と電線支持面２２との間に屈曲状態で保持されると、電線５０がコネクタハウジング１０の背面から離れる方向へ引っ張られても、その引っ張り力は屈曲部位にて受け止められるから、コネクタハウジング１０内に収容された端子金具６１に直接作用するのを回避できるというメリットがある。なお、タイバンド３１は市販品として入手可能な公知のものを用いることができる。
【００１５】
さて、上記した電線保持部２１の電線支持面２２は、図１および図４に示すように、電線保持部２１の一端側（タイバンド３１による締め付けが開始される側であって、タイバンド３１の回曲時におけるバンド片３４の回動支点側）から他端側（タイバンド３１による締め付けが終了する側であって、係止部３３の位置する側）にかけて段々下方へ落ちて配置されている。したがって、電線支持面２２に載せられた各電線５０は、電線保持部２１の他端側に行くほど対応するキャビティ１１からの落差を大きくして屈曲させられる。
【００１６】
詳しくは、各電線支持面２２は、図４に示すように、他端側へ向かって電線支持面２２毎に比例配分より大きい落差をもって落ちており、概ね所定の曲率半径を有する円弧に沿うように配置されている。  
より詳しく各電線支持面２２の落差を決定する方法について、図４に基づいて説明する。なお、図４は、説明の都合上、各電線５０の公差Ｄを実際のものより大きく描いている。
【００１７】
まず、電線径の公差Ｄ内で最大の外径寸法をもった電線５０（公差Ｄのうちの最大値に対応する電線）を最大径電線５６、電線径の公差Ｄ内で最小の外径寸法をもった電線５０（公差Ｄのうちの最小値に対応する電線）を最小径電線５７というとして、電線保持部２１の一端から他端に向かって数えて３番目以降に位置する電線支持面２２（Ｎ番目の電線支持面２２）に最大径電線５６が支持され、当該電線支持面２２（Ｎ番目の電線支持面２２）と一端側で隣接する電線支持面２２（Ｎ−１番目の電線支持面２２）に最小径電線５７が支持され、さらに、この電線支持面２２（Ｎ−１番目の電線支持面２２）と一端側で隣接する電線支持面２２（Ｎ−２番目の電線支持面２２）に最大径電線５６が支持されると仮定する。そして、Ｎ−２番目の最大径電線５６からＮ−１番目の最小径電線５７にかけて両電線５６，５７の上弦側で共通接線Ｔ１，Ｔ２，Ｔ３を引き、さらに、その共通接線Ｔ１，Ｔ２，Ｔ３がＮ番目の最大径電線５６の上弦側における共通接線Ｔ１，Ｔ２，Ｔ３をも構成するように、Ｎ番目の最大径電線５６を水平面より下位に落とし、この下位に落とされた最大径電線５６を支持可能な位置に、Ｎ番目の最大径電線５６を支持する電線支持面２２（Ｎ番目の電線支持面２２）を設定する。
【００１８】
例えば、電線保持部２１の一端から他端に向かって数えて３番目（Ｎ＝３）の電線支持面２２の落差Ｇ１（３番目の電線支持面２２と２番目の電線支持面２２との間の高さ位置のずれ量）を決定しようとするときには、この３番目の電線支持面２２に最大径電線５６を支持させ、２番目の電線支持面２２に最小径電線５７を支持させ、１番目の電線支持面２２に最大径電線５６を支持させると仮定し、これら横並びの、最大径電線５６（１番目）、最小径電線５７（２番目）、最大径電線５６（３番目）に対して共通接線Ｔ１（電線保持部２１の他端側へ向かって下り勾配となる）を引ける位置まで、３番目の最大径電線５６を下位に落とし、これと同じ落差（Ｇ１）で３番目の電線支持面２２を設定する。続いて、例えば、電線保持部２１の一端から他端に向かって数えて４番目（Ｎ＝４）の電線支持面２２の落差Ｇ２（４番目の電線支持面２２と３番目の電線支持面２２との間の高さ位置のずれ量）を決定しようとするときには、この４番目の電線支持面２２に最大径電線５６を支持させ、上記によって低位にある３番目の電線支持面２２に最小径電線５７を支持させ、２番目の電線支持面２２に最大径電線５６を支持させると仮定し、これら横並びの、最大径電線５６（２番目）、最小径電線５７（３番目）、最大径電線５６（４番目）に対して共通接線Ｔ２を引ける位置まで、４番目の最大径電線５６を下位に落とし、これと同じ落差（Ｇ２）で４番目の電線支持面２２を設定する。
【００１９】
この４番目の電線支持面２２の落差Ｇ２を設定する際には、すでに３番目の電線支持面２２は２番目の電線支持面２２より下位にあるので、３番目の電線支持面２２の落差Ｇ１を設定する場合に比べ、共通接線Ｔ２の傾きが急勾配となり、これにより、４番目の電線支持面２２の落差Ｇ２は、３番目の電線支持面２２の落差Ｇ１より大きくなる。あと同様に、共通接線Ｔ２より急傾斜となる共通接線Ｔ３に基づいて、残りの５番目の電線支持面２２の落差Ｇ３（５番目の電線支持面２２と４番目の電線支持面２２との間の高さ位置のずれ量）を設定する。  
こうして、電線保持部２１の一端から他端に向かって数えて３番目の電線支持面２２の落差Ｇ１、４番目の電線支持面２２の落差Ｇ２、５番目の電線支持面２２の落差Ｇ３を、それぞれの電線支持面２２毎に、電線保持部２１の一端側から順次設定していく。
【００２０】
ここで、各電線支持面２２を電線保持部２１の他端側へ向かって低くなるよう配するのは、以下の理由による。すなわち、仮に、各電線支持面２２が互いに同一高さをもって配される場合に、公差Ｄの小さい電線５０を挟んだ両側に公差Ｄの大きい電線５０が配され、しかも、公差Ｄの大きい電線５０間でタイバンド３１のバンド片３４が緊張状態で架橋されるとすると、公差Ｄの小さい電線５０がタイバンド３１に非当接状態となり、この公差Ｄの小さい電線５０に対してタイバンド３１による締め付け力が作用しないという問題がある。しかるに本実施形態によれば、互いに隣接する電線５０間の落差が最も著しい、最大径電線５６、最小径電線５７、最大径電線５６が一端側から順に並び合うケースを想定し、一端側の最大径電線５６から最小径電線５７にかけて引かれた急傾斜の共通接線Ｔ１，Ｔ２，Ｔ３がなお他端側の最大径電線５６の共通接線Ｔ１，Ｔ２，Ｔ３をも形成するように、この他端側の最大径電線５６を支持する電線支持面２２を低くすることで、これら３本の電線５０が共通接線Ｔ１，Ｔ２，Ｔ３によって見立てられたタイバンド３１のバンド片３４と確実に当接できるようにしたものである。その結果、各電線５０が公差Ｄ内で如何なる電線径をもっていようと、全ての電線５０があまねく電線保持部２１とタイバンド３１との間に確実に保持されることになるわけである。
【００２１】
＜他の実施形態＞
本発明は上記記述及び図面によって説明した実施形態に限定されるものではなく、例えば次のような実施形態も本発明の技術的範囲に含まれる。
【００２２】
（１）本発明によれば、電線保持部の一端から他端に向かって数えて３番目以降の各電線支持面（Ｎ番目の電線支持面）は、当該電線支持面（Ｎ番目の電線支持面）に最大径電線が支持され、当該電線支持面（Ｎ番目の電線支持面）と電線保持部の一端側で隣接する電線支持面（Ｎ−１番目の電線支持面）に最小径電線が支持され、さらに、この電線支持面（Ｎ−１番目の電線支持面）と電線保持部の一端側で隣接する電線支持面（Ｎ−２番目の電線支持面）に最大径電線が支持されると仮定して、これら横並びで配された、最大径電線、最小径電線、最大径電線の各電線の上弦側で共通接線を引ける位置より下位に、電線保持部の他端側へ向かって段々低くなるよう、配置されてもよい。つまり、Ｎ番目の電線支持面は、Ｎ−１番目の電線支持面およびＮ−２番目の電線支持面の共通接線より低い位置に存する電線を支持可能な位置に配されていてもよい。
【００２３】
（２）本発明によれば、電線保持部の一端側から他端側へ向かって数えて２番目の電線支持面は１番目の電線支持面より下位にあっても上位にあってもよく、必ずしも１番目の電線支持面と同じ高さ位置になくても構わない。  
（３）本発明によれば、各電線支持面は互いに等間隔で配置されていてなくてもよい。
（４）本発明によれば、各電線支持面により支持される電線の中に、公差を超えて他の電線と電線径を異にするものが含まれていてもよい。  
（５）本発明によれば、タイバンドは電線保持部と一体的に設けられていてもよい。  
（６）本発明によれば、電線保持部はコネクタハウジングとは別体として形成されていてもよい。また、電線保持部はヒンジを介してコネクタハウジングに取り付けられていてもよい。  
（７）電線の本数は、３本以上あればよく、特に限定されない。
【図面の簡単な説明】
【００２４】
【図１】本実施形態のコネクタの背面図
【図２】コネクタの断面図
【図３】コネクタの要部破断した平面図
【図４】各電線支持面の高さ位置の関係を説明するための概略図
【符号の説明】
【００２５】
１０…コネクタハウジング
２１…電線保持部
２２…電線支持面
３１…タイバンド（帯片）
３３…係止部
３４…バンド片
５０…電線
【図１】
2008053146.tif 000003
【図２】
2008053146.tif 000004
【図３】
2008053146.tif 000005
【図４】
2008053146.tif 000006